(57)【要約】【課題】本発明は、簡単な構造で容易に着脱できる住宅用分電盤のカバーのロック構造を提供することを目的としている。【解決手段】カバーに取り付けられた基台と係止させるための係止部材に、または係止部材近傍にロック装置を設け、ロック装置は、カバーの表面に露出する操作部１５と、操作部１５を係止部材８の裏面から保持するスライド片１４とから構成され、スライド片１４に凸部１８を形成すると共に、凸部１８とに当接することで係止部材８の動作を規制するストッパー１９を形成することを特徴とする。【選択図】図３
2009124873.tif 000002
【特許請求の範囲】
【請求項１】
各種電気機器を配列した基台の前面開口を、前記電気機器の操作ハンドルが突出可能である窓を形成したカバーで施蓋して成る住宅用分電盤の前記カバーを前記基台に着脱する動作のロック装置であって、前記カバーに取り付けられた基台と係止させるための係止部材に、または係止部材近傍にロック装置を設け、該ロック装置は、前記カバーの表面に露出する操作部と、該操作部を前記係止部材の裏面から保持するスライド片とから構成され、前記スライド片に凸部を形成すると共に、該凸部とに当接することで係止部材の動作を規制するストッパーを形成することを特徴とする住宅用分電盤のカバーのロック装置。
【発明の詳細な説明】
【技術分野】
【０００１】
本発明は、各種電気機器を配列した基台の前面開口を、電気機器の操作ハンドルが突出可能である窓を形成したカバーで施蓋して成る住宅用分電盤のカバーのロック構造に関するものである。
【背景技術】
【０００２】
住宅用分電盤のカバーのロック構造は、従来、図５〜図６に示すように、基台３１にカバー３２を取り付けた状態でねじ止め等、別部品を使用して行っていた。基台３１にねじ受け３３を設け、カバー３２にはねじ挿通孔３４を設け、ねじ挿通孔３４とねじ受け３３にそれぞれねじ３５を挿通しねじ止めし、カバー３２は着脱部品３６だけでは着脱できないようにロックできるようにしていた。また、ねじ止めには、ドライバー等の工具が必要であった。
【特許文献１】特開平９−６５５１９号公報
【発明の開示】
【発明が解決しようとする課題】
【０００３】
しかしながら上記従来の住宅用分電盤では、カバー３２をねじ止めにより基台３１にロックするため、点検のたびにねじ等の別部品を着脱しなくてはならず、その作業は煩雑であり、また小さな部品を紛失してしまう虞があった。また、ねじ等の別部品はドライバー等の工具で着脱しなくてはならないので、工具も準備する必要があった。
【課題を解決するための手段】
【０００４】
そこで本発明は、簡単な構造で容易に着脱できる住宅用分電盤のカバーのロック構造を提供することを目的とし、その構造は、カバーに取り付けられた基台と係止させるための係止部材に、または係止部材近傍にロック装置を設け、ロック装置は、カバーの表面に露出する操作部と、操作部を係止部材の裏面から保持するスライド片とから構成され、スライド片に凸部を形成すると共に、凸部とに当接することで係止部材の動作を規制するストッパーを形成することを特徴とする。
【発明の効果】
【０００５】
本発明に係る住宅用分電盤のカバーのロック構造は、カバーに取り付けられた基台と係止させるための係止部材に、または係止部材近傍にロック装置を設け、ロック装置は、カバーの表面に露出する操作部と、操作部を係止部材の裏面から保持するスライド片とから構成され、スライド片に凸部を形成すると共に、凸部とに当接することで係止部材の動作を規制するストッパーを形成するため、着脱の際、住宅用分電盤に組み込まれている部品を操作するので、ねじ等の別部品の着脱作業に比べて手間を省くことができる。部品も住宅用分電盤に組み付けられているため、カバーの着脱時に紛失することがない。また、ドライバー等の工具も使用する必要がなく、工具が手元になくても随時作業が行える。
【発明を実施するための最良の形態】
【０００６】
本発明に係る住宅用分電盤のカバーのロック構造を図１〜図４の添付図面に基いて説明する。
【０００７】
住宅用分電盤１は前面に開口を有する基台２に主幹ブレーカ３や分岐ブレーカー４等の電気機器を配列し、基台２の前面開口は、電気機器の操作ハンドル５を突出可能とする窓６を形成したカバー７で施蓋して構成される。本発明は住宅用分電盤１のカバー７を基台２に取り付けた状態を保持するロック装置に関する。
【０００８】
カバー７の基台２へ取り付け構造は、カバー７に取り付けられた係止部材８が基台２に係止させたり、外したりすることで着脱可能としたものである。カバー７には、基台２への係止部材８を取り付け、係止部材８は基台２に設けられた係止突起９に係止可能である係止部１０と、カバー７が基台２へ係止するように係止部１０を動作させる着脱操作部１１とを形成している。着脱操作部１１を押すことで、係止部材８が傾斜し、係止部１０が係止突起９から外れてカバー７が基台２から取り外される。
【０００９】
本発明は、着脱操作部１１の任意の位置に、ロック装置を設ける。ロック装置について説明をする。係止部材８の着脱操作部１１の任意の位置にロック穴１２を設け、ロック穴１２に、操作スイッチ１３と操作スイッチ１３の動作に連動してスライド移動するスライド片１４とを取り付ける。操作スイッチ１３は操作部１５と、スライド片１４に係止する係止突起１６とが形成されている。スライド片１４は、操作スイッチ１３の係止突起１６が係止可能である係止穴１７と、カバー７の着脱動作を規制する凸部１８とを形成している。
【００１０】
カバー７には、スライド片１４に設けられた凸部１８に当接可能であるストッパー１９が形成されている。図３においては、基台２にカバー７を取り付けた状態で、操作スイッチ１３の操作部１５を下方にスライド移動させた状態を示す。スライド片１４は操作部に連動して下方に移動している。その状態で着脱操作部１１を押しても、スライド片１４の凸部１８がカバー７に設けられたストッパー１９に当接するため、係止部材８が傾斜できずカバー７を基台２から取り外すことができない。
【００１１】
また、図４は、操作スイッチ１３の操作部１５を上方にスライド移動させた状態を示す。スライド片１４も操作部１５に連動して上方に移動する。その状態で着脱操作部１１を押すと、スライド片１４の凸部１８がカバー７に設けられたストッパー１９には触れず規制されないため、係止部材８が傾斜し、係止部１０が係止突起９から外れ、カバー７を基台２から取り外すことができる。
【００１２】
本発明では、カバーを基台に着脱するための係止部材に、着脱操作のロック構造を設けたので、点検等の作業の都度、ねじやロックのために設けた部品を取り外す必要がなく、作業効率を向上させることができ、また、部品を取り外さないため紛失の虞もなくなる。
【００１３】
本発明に係る住宅用分電盤のロック構造は、ロック装置を係止部材ではなく、係止部材の近傍に、係止部材の動作を規制できるように設けることもできる。例えば、ロック装置をカバーの着脱操作部の天面側に設けたり、カバーの表面に設けたりしても良い。
【００１４】
また、ロック装置の操作スイッチのスライド方向は、図３、図４に示すような上下方向だけでなく、左右方向や、奥行き方向でも良い。
【００１５】
以上述べたように、ロック装置の位置やスライド方向については、図３、図４に示すようなものに限定するものではなく、係止部材の動作を規制できる等、本発明の趣旨を逸脱しない範囲において適宜変更可能である。
【図面の簡単な説明】
【００１６】
【図１】住宅用分電盤を示す正面図である。
【図２】係止部材を示す説明図である。
【図３】カバーを基台に取り付けロックした状態を示す説明図である。
【図４】カバーを基台に取り付けロックを解除した状態を示す説明図である。
【図５】従来の住宅用分電盤のカバーのロック構造を示す正面図である。
【図６】図５におけるロック構造部の断面図である。
【符号の説明】
【００１７】
１    住宅用分電盤
２    基台
３    主幹ブレーカ
４    分岐ブレーカ
５    操作ハンドル
６    窓
７    カバー
８    係止部材
９    係止突起
１０  係止部
１１  着脱操作部
１２  ロック穴
１３  操作スイッチ
１４  スライド片
１５  操作部
１６  係止突起
１７  係止穴
１８  凸部
１９  ストッパー
【図１】
2009124873.tif 000003
【図２】
2009124873.tif 000004
【図３】
2009124873.tif 000005
【図４】
2009124873.tif 000006
【図５】
2009124873.tif 000007
【図６】
2009124873.tif 000008